(57)【要約】【課題】人には視認され、撮影カメラには映らない間欠光を用いた情報提示技術において、視認性が高く、光利用率の高い時分割表示装置を提供する。【解決手段】時分割表示装置１は、第１投射光を投射する第１投射手段２０ａと、第２投射光を投射する第２投射手段２０ｂと、第１投射光を反射させる鏡面を有する反射領域と第２投射光を鏡面の背面側から通過させる通過領域とを有する回転シャッタ３１とを備え、第１投射光が回転シャッタ３１の反射領域で反射された反射光の光軸と第２投射光が回転シャッタ３１の通過領域を通過した際の光軸とが同軸となるように、回転シャッタ３１、第１投射手段２０ａおよび第２投射手段２０ｂを配置し、撮影カメラに同期した基準同期信号に基づいて、回転シャッタ３１を回転させることを特徴とする。【選択図】図５
2007316127.tif 000002
【特許請求の範囲】
【請求項１】
第１投射光と第２投射光とを時分割して表示する時分割表示装置であって、
前記第１投射光を反射させる鏡面を有する反射領域および当該反射領域に隣接して設けられ前記第２投射光を前記鏡面の背面側から通過させる通過領域を有する回転部材と、
この回転部材を回転駆動させる駆動手段と、
前記第１投射光を前記回転部材の鏡面側から投射する第１投射手段と、
前記第２投射光を前記回転部材の鏡面の背面側から投射する第２投射手段と、
外部から入力される基準同期信号と前記回転部材の位相とが同期するように前記駆動手段を制御する駆動制御手段と、を備え、
前記第１投射光が前記回転部材の反射領域で反射された反射光の光軸と前記第２投射光が前記回転部材の通過領域を通過した通過光の光軸とが同軸となるように、前記回転部材、前記第１投射手段および前記第２投射手段を配置していることを特徴とする時分割表示装置。
【請求項２】
前記回転部材は、前記反射領域および前記通過領域を当該回転部材の回転軸を中心として扇型形状に形成された円盤部材であることを特徴とする請求項１に記載の時分割表示装置。
【請求項３】
前記第１投射光と前記第２投射光とは、それぞれ撮影カメラによって撮影される映像信号の１フィールド期間における撮影期間と非撮影期間とのいずれか一方の期間で表示される投射光であって、
前記回転部材は、前記撮影期間と前記非撮影期間との時間比で、前記反射領域および前記通過領域の前記扇型形状の中心角度がそれぞれ定められていることを特徴とする請求項２に記載の時分割表示装置。
【請求項４】
前記回転部材は、前記回転軸を中心として前記反射領域が対称となる位置に形成されていることを特徴とする請求項２または請求項３に記載の時分割表示装置。
【請求項５】
基準同期信号に基づいて、第１投射光と第２投射光とを時分割して表示する請求項４に記載の時分割表示装置と、
前記基準同期信号に基づいて、少なくとも前記時分割表示装置で表示される第１投射光または第２投射光のいずれか一方を、映像信号の１フィールド期間における撮影期間で撮影する撮影カメラと、
を備えていることを特徴とする映像撮影システム。
【請求項６】
第１投射手段から投射される第１投射光と、第２投射手段から投射される第２投射光とを時分割して同軸方向に投射する投射光時分割装置であって、
前記第１投射光を反射させる鏡面を有する反射領域および当該反射領域に隣接して設けられ前記第２投射光を前記鏡面の背面側から通過させる通過領域を有する回転部材と、
この回転部材を回転駆動させる駆動手段と、
外部から入力される基準同期信号と前記回転部材の位相とが同期するように前記駆動手段を制御する駆動制御手段と、
を備えていることを特徴とする投射光時分割装置。
【請求項７】
第１投射手段から投射される第１投射光と、第２投射手段から投射される第２投射光とを時分割して投射する投射光時分割装置であって、
通過領域と当該通過領域に隣接して設けられた非通過領域を有する回転部材と、
この回転部材を回転駆動させる駆動手段と、
外部から入力される基準同期信号と前記回転部材の位相とが同期するように前記駆動手段を制御する駆動制御手段と、を備え、
前記回転部材が回転駆動されることで、前記第１投射光または前記第２投射光のいずれか一方を投射することを特徴とする投射光時分割装置。
【発明の詳細な説明】
【技術分野】
【０００１】
本発明は、映像の表示技術に係り、より詳細には、２種類の投射光を時分割で表示する時分割表示装置、映像撮影システムおよび投射光時分割装置に関する。
【背景技術】
【０００２】
近年、テレビスタジオ等の撮影現場では、人には視認され撮影カメラで撮影する映像には映らない間欠光によって、出演者に情報を提示する装置が使用され始めている（例えば、特許文献１等）。この装置は、出演者の台詞、演出者の指示等を出演者に伝える場合や、出演者と予め撮影された背景等とを後で合成する場合、間欠光によって、撮影カメラには映らない指示や背景を投射するものである。これによって、出演者は、文字（指示）、背景等を実際に見ることができるため、より自然な演技を行うことができる。
【０００３】
ここで、図１６を参照して、従来の間欠光による情報提示技術について説明する。図１６は、従来の間欠光による情報提示技術を説明するためのテレビスタジオの模式図である。図１６に示すように、このテレビスタジオでは、２台の映像投射装置４（４ａ，４ｂ）が投射する映像を透過型スクリーン６の背面から投射する。そして、撮影カメラ３が、透過型スクリーン６の前面から、透過型スクリーン６に投射された映像や出演者Ｍをテレビ番組映像として撮影する。
【０００４】
このとき、映像投射装置４ａは、テレビ番組内で表示する映像であって、出演者Ｍが解説を行うための映像を投射する。一方、映像投射装置４ｂは、同一の同期信号で動作する撮影カメラ３の内部に組み込まれている撮像デバイス（ＣＣＤ：Ｃｈａｒｇｅ−Ｃｏｕｐｌｅｄ  Ｄｅｖｉｃｅｓ）の電子シャッタ（図示せず）が閉じている期間に、出演者Ｍに提示する情報（台詞、演出者の指示等）を含んだ映像を投射する。
そして、映像投射装置４ｂは、撮影カメラ３の電子シャッタが閉じている期間内に、映像投射装置４ｂの投影レンズの前に備えられている液晶シャッタ５を開くことで、出演者Ｍには見えるが撮影カメラ３には撮影されない映像を透過型スクリーン６に投射する。
【０００５】
これによって、撮影カメラ３で撮影された映像には、映像投射装置４ｂが投射した映像が映らず、出演者Ｍは、映像投射装置４ｂから投射される映像によって、情報を取得することができ、その映像を見ながら会話、演技等を行うことができるため、映像を見ないで会話等を行う場合に比べて、出演者Ｍの演技上の負担を軽減することができる。
【０００６】
ここで、図１７を参照（適宜図１６参照）して、撮影カメラ３の電子シャッタと、液晶シャッタ５との各信号の関係について説明する。図１７は、電子シャッタと液晶シャッタとの各信号の関係を示すタイムチャートである。（ａ）は撮影カメラ３の同期信号（垂直同期信号と水平同期信号とからなる複合同期信号）から分離した垂直同期信号、（ｂ）は撮影カメラ３の電子シャッタの開閉を制御する信号（電子シャッタ信号）、（ｃ）は液晶シャッタ５の開閉を制御する信号（液晶シャッタ信号）、（ｄ）は液晶シャッタ５の透過特性を示している。なお、図１７では、１フレームを２回に分けて伝送するインターレース処理における、１回の伝送期間（１６．６７ミリ秒＜ｍｓ＞）である１フィールド分のタイムチャートを示している。
【０００７】
図１７に示すように、撮影カメラ３が、電子シャッタ信号（ｂ）を、撮影カメラ３の垂直同期信号（ａ）で示される１フィールド期間で、ＯＦＦ、ＯＮすることで電子シャッタの開閉を行う。なお、ここでは、電子シャッタ信号（ｂ）がＯＦＦの期間に電子シャッタを閉じ、ＯＮの期間に電子シャッタを開くこととする。そして、液晶シャッタ５は、液晶シャッタ信号（ｃ）が電子シャッタの閉じた期間（ＯＦＦの期間）内でＯＮにされることで、映像の投射を行う。これによって、液晶シャッタ５は、撮影カメラ３が電子シャッタを閉じた期間（ＯＦＦの期間）内で、映像を投射するため、この投射映像は、撮影カメラ３には撮影されない。
【０００８】
なお、（ｄ）に示すように、一般に液晶シャッタ５の透過特性は、液晶シャッタ信号（ｃ）の立ち上がりおよび立ち下りに対して、ある程度の遅延を伴う。そこで、液晶シャッタ信号（ｃ）は、電子シャッタ信号（ｂ）に対して遅延を考慮してＯＦＦされる。
【特許文献１】特開２００２−３４４７７５号公報（段落００４９〜００５６、図５）
【発明の開示】
【発明が解決しようとする課題】
【０００９】
前記した間欠光による情報提示技術において、２台の映像投射装置のうち少なくとも１台を液晶シャッタ付き映像投射装置としなければならず、システム全体が高価なものとなってしまうという問題がある。また、非撮影期間において、２台の映像投射装置の映像が同時に透過型スクリーンに投射されるため、出演者にとっては、非撮影期間において出演者に提示される情報（台詞、演出者の指示等）が見え難いという問題がある。
さらに、液晶シャッタを用いた場合、図１７（ｄ）に示すように、液晶シャッタの透過特性による光利用率の劣化により、視認性が悪くなってしまうという問題がある。
【００１０】
本発明は、以上のような課題を解決するためになされたものであり、人には視認され、撮影カメラには映らない間欠光を用いた情報提示技術において、安価で、非撮影期間における出演者に提示する情報の視認性を高め、さらに、光利用率を高めた時分割表示装置、映像撮影システムおよび投射光時分割装置を提供することを目的とする。
【課題を解決するための手段】
【００１１】
本発明は、前記目的を達成するために創案されたものであり、まず、請求項１に記載の時分割表示装置は、第１投射光と第２投射光とを時分割して表示する時分割表示装置であって、前記第１投射光を反射させる鏡面を有する反射領域および当該反射領域に隣接して設けられ前記第２投射光を前記鏡面の背面側から通過させる通過領域とを有する回転部材と、この回転部材を回転駆動させる駆動手段と、前記第１投射光を前記回転部材の鏡面側から投射する第１投射手段と、前記第２投射光を前記回転部材の鏡面の背面側から投射する第２投射手段と、外部から入力される基準同期信号と前記回転部材の位相とが同期するように前記駆動手段を制御する駆動制御手段とを備え、前記第１投射光が前記回転部材の反射領域で反射された反射光の光軸と前記第２投射光が前記回転部材の通過領域を通過した通過光の光軸とが同軸となるように、前記回転部材、前記第１投射手段および前記第２投射手段を配置していることを特徴とする。
【００１２】
かかる構成において、時分割表示装置は、第１投射手段から投射された第１投射光が回転部材の反射領域に投射されたとき、第２投射手段から投射された第２投射光が回転部材の反射領域の背面に投射される。これによって、第１投射光は回転部材で反射され表示される側に投射されるとともに、第２投射光は回転部材で遮断されることになる。
また、時分割表示装置は、第１投射手段から投射された第１投射光が回転部材の通過領域に投射されたとき、この第１投射光と、第２投射手段から投射された第２投射光とが、ともに回転部材を通過し、それぞれの投射方向に投射されることになる。
【００１３】
そして、回転部材、第１投射手段および第２投射手段が、第１投射光が回転部材の反射領域で反射された反射光の光軸と第２投射光が回転部材の通過領域を通過した際の光軸とが同軸となるように配置されていることから、回転部材を回転させることで、第１投射光または第２投射光のいずれか一方がその光軸方向に出射されることになる。
さらに、時分割表示装置は、駆動制御手段によって、外部から入力される基準同期信号と回転部材の位相とが同期するように駆動手段を制御することで、回転部材は、基準同期信号に同期して、第１投射光または第２投射光のいずれか一方を表示することができる。
【００１４】
また、請求項２に記載の時分割表示装置は、請求項１に記載の時分割表示装置において、前記回転部材が、前記反射領域および前記通過領域を当該回転部材の回転軸を中心として扇型形状に形成された円盤部材であることを特徴とする。
【００１５】
かかる構成において、時分割表示装置は、回転部材を等速回転させることで、第１投射光および第２投射光に対して、反射領域が同一位相で出現することになる。そして、この位相に同期して第１投射光が反射されることになる。
【００１６】
さらに、請求項３に記載の時分割表示装置は、請求項２に記載の時分割表示装置において、前記第１投射光と前記第２投射光とが、それぞれ撮影カメラによって撮影される映像信号の１フィールド期間における撮影期間と非撮影期間とのいずれか一方の期間で表示される投射光であって、前記回転部材が、前記撮影期間と前記非撮影期間との時間比で、前記反射領域および前記通過領域の前記扇型形状の中心角度がそれぞれ定められていることを特徴とする。
【００１７】
かかる構成において、時分割表示装置は、撮影カメラの撮影期間と非撮影期間との時間比で、反射領域および通過領域の中心角度がそれぞれ定められていることから、当該撮影カメラと同一の基準同期信号で同期させることで、第１投射手段で投射される投射光を、撮影期間で表示し、第２投射手段で投射される投射光を、非撮影期間で表示することが可能になる。
【００１８】
また、請求項４に記載の時分割表示装置は、請求項２または請求項３に記載の時分割表示装置において、前記回転部材が、前記回転軸を中心として前記反射領域が対称に形成されていることを特徴とする。
【００１９】
かかる構成において、時分割表示装置は、反射領域が回転部材の回転軸を中心に対称に形成されていることから、回転部材の中心が重心位置となる。そして、回転部材は、この重心位置を中心に回転することで、安定して回転を行うことが可能になる。
【００２０】
さらに、請求項５に記載の映像撮影システムは、基準同期信号に基づいて、第１投射光と第２投射光とを時分割して表示する請求項４に記載の時分割表示装置と、前記基準同期信号に基づいて、少なくとも前記時分割表示装置で表示される第１投射光または第２投射光のいずれか一方を、映像信号の１フィールド期間における撮影期間で撮影する撮影カメラと、を備えていることを特徴とする。
【００２１】
かかる構成において、映像撮影システムは、時分割表示装置によって、撮影カメラの映像信号の１フィールド期間における撮影期間に第１投射光または第２投射光の一方を表示し、非表示期間に他の投射光を表示する。これによって、他の投射光は、人には視認されるが撮影カメラには撮影されない投射光となる。
そして、映像撮影システムは、撮影カメラによって、撮影期間に表示された投射光を撮影する。
【００２２】
また、請求項６に記載の投射光時分割装置は、第１投射手段から投射される第１投射光と、第２投射手段から投射される第２投射光とを時分割して同軸方向に投射する投射光時分割装置であって、前記第１投射光を反射させる鏡面を有する反射領域および当該反射領域に隣接して設けられ前記第２投射光を前記鏡面の背面側から通過させる通過領域を有する回転部材と、この回転部材を回転駆動させる駆動手段と、外部から入力される基準同期信号と前記回転部材の位相とが同期するように前記駆動手段を制御する駆動制御手段と、を備える構成とした。
【００２３】
かかる構成において、投射光時分割装置は、第１投射手段から投射された第１投射光が回転部材の反射領域に投射されたとき、第２投射手段から投射された第２投射光が回転部材の反射領域の背面に投射される。これによって、第１投射光は回転部材で反射され表示される側に投射されるとともに、第２投射光は回転部材で遮断されることになる。
【００２４】
また、投射光時分割装置は、第１投射手段から投射された第１投射光が回転部材の通過領域に投射されたとき、この第１投射光と、第２投射手段から投射された第２投射光とが、ともに回転部材を通過し、それぞれの投射方向に投射されることになる。
さらに、投射光時分割装置は、駆動制御手段によって、外部から入力される基準同期信号と回転部材の位相とが同期するように駆動手段を制御することで、回転部材は、基準同期信号に同期して、第１投射光および第２投射光を時分割して投射することができる。
【００２５】
さらに、請求項７に記載の投射光時分割装置は、第１投射手段から投射される第１投射光と、第２投射手段から投射される第２投射光とを時分割して投射する投射光時分割装置であって、通過領域と当該通過領域に隣接して設けられた非通過領域を有する回転部材と、この回転部材を回転駆動させる駆動手段と、外部から入力される基準同期信号と前記回転部材の位相とが同期するように前記駆動手段を制御する駆動制御手段と、を備え、前記回転部材が回転駆動されることで、前記第１投射光または前記第２投射光のいずれか一方を投射することを特徴とする。
【００２６】
かかる構成において、投射光時分割装置は、第１投射手段から投射された第１投射光が回転部材の通過領域に投射されたとき、第２投射手段から投射された第２投射光が回転部材の非通過領域に投射される。また、第１投射手段から投射された第１投射光が回転部材の非通過領域に投射されたとき、第２投射手段から投射された第２投射光が回転部材の通過領域に投射される。
そして、投射光時分割装置は、駆動制御手段によって、外部から入力される基準同期信号と回転部材の位相とが同期するように駆動手段を制御することで、回転部材は、基準同期信号に同期して、第１投射光および第２投射光を時分割して投射することができる。
【発明の効果】
【００２７】
本発明は、以下に示す優れた効果を奏するものである。
請求項１または請求項６に記載の発明によれば、反射領域と通過領域とを有する回転部材を回転させ、２つの投射光を反射または通過させることで、２つの投射光を交互に時分割して表示することができる。このとき、投射光は、反射または通過するだけであるため、表示する投射光の劣化がなく、従来に比べて光利用率を高めることができる。
また、本発明によれば、第１投射手段の光軸と第２投射手段の光軸とを直交させることで、第１投射光と第２投射光とを、同一の光軸で表示することが可能になる。これによって、第１投射光と第２投射光との視認性を高めることができる。
さらに、本発明によれば、回転部材を回転させるだけのシンプルな構成であり、２台の投射手段を同一のものとすることができるため、従来に比べて安価に構成することができる。また、本発明によれば、１つの回転部材で２台の投射手段の映像を時分割できるため、システム全体を小型化することができ、省スペース化を実現することができる。
【００２８】
請求項２に記載の発明によれば、回転部材を等速回転させることで、反射領域を同一位相で出現させることができる。また、回転部材が円盤形状であることから、安定して回転させることができる。
【００２９】
請求項３に記載の発明によれば、回転部材を撮影カメラの撮影期間と非撮影期間との時間比で反射領域および通過領域の中心角度を定めているため、撮影カメラに同期させて等速回転させるだけで、異なる２つの投射光（映像）を、１フィールド区間内で区分して表示することができる。
【００３０】
請求項４に記載の発明によれば、回転部材の回転軸を中心に反射領域が対称に形成されているため、回転部材の中心が重心位置となる。これによって、回転部材を回転させる駆動手段のトルクやパワーが小さい場合であっても、回転部材を安定して回転させることができる。
【００３１】
請求項５に記載の発明によれば、人には視認されるが撮影カメラには撮影されない投射光を表示することができる。これによって、例えば、テレビスタジオ等で、一方の投射光を撮影カメラで撮影するための映像として表示し、他方の投射光を撮影カメラには撮影されずに出演者のみに認識可能な映像として表示することができる。
【００３２】
請求項７に記載の発明によれば、通過領域と非通過領域とを有する回転部材を回転させることで、２つの投射光を交互に時分割して表示することができる。
【発明を実施するための最良の形態】
【００３３】
以下、本発明の実施の形態について図面を参照して説明する。
［映像撮影システムの構成］
まず、図１を参照して、テレビスタジオ等の撮影現場で用いる映像撮影システムの概要について説明する。図１は、本発明に係る映像撮影システムの全体構成を示す模式図である。映像撮影システムＳは、基準となる同期信号（基準同期信号）ＳＧに同期して動作する時分割表示装置１と、撮影カメラ２とを備えている。なお、ここでは、基準同期信号ＳＧとして、撮影カメラ２が生成するカメラ映像信号を用いることとする。
【００３４】
時分割表示装置１は、撮影カメラ２に撮影される映像（投射光；カメラ用映像）と、撮影カメラ２には撮影されない映像（投射光；非カメラ用映像）とを、撮影カメラ２と同一の基準同期信号ＳＧに基づいて、撮影カメラ２の撮影期間と非撮影期間とで切り替えて表示（投射）するものである。
このとき、出演者Ｍは、時分割表示装置１が表示するカメラ用映像および非カメラ用映像のどちらも視認することができる。一方、撮影カメラ２は、カメラ用映像を撮影することはできるが、非撮影期間に表示される非カメラ映像を撮影することはできない。
なお、時分割表示装置１の構成については後記する。
【００３５】
撮影カメラ２は、時分割表示装置１に表示された映像等を撮影するものである。この撮影カメラ２は、時分割表示装置１と同一の基準同期信号ＳＧを基準として、内部の撮像デバイス（ＣＣＤ）の電子シャッタ（図示せず）が開いている期間に撮影を行い、電子シャッタが閉じている期間は撮影を行わない。なお、この撮影カメラ２は、ニュース取材用小型カメラ、スタジオ用大型カメラ、ハイビジョン用カメラ等、基準同期信号に基づいて、撮影期間と非撮影期間の切り替えを行えるものであればよい。
【００３６】
ここで、図２および図３を参照（適宜図１参照）して、時分割表示装置１が表示する映像と、撮影カメラ２が撮影する映像について説明する。図２は、時分割表示装置が表示した映像の一例を示す図であって、（ａ）は撮影カメラの非撮影期間に表示される映像、（ｂ）は撮影カメラの撮影期間に表示される映像である。図３は、撮影カメラが撮影した映像の一例を示す図である。
【００３７】
ここでは、時分割表示装置１は、撮影カメラ２の非撮影期間に出演者Ｍに提示する映像ＳＡとして、例えば天気図等を表示する（図２（ａ）参照）。また、時分割表示装置１は、撮影カメラ２の撮影期間に他の映像ＳＢとして、例えば単一の色光を表示する（図２（ｂ）参照）。なお、ここでは、時分割表示装置１は、撮影カメラ２の撮影期間に、単一の色光として、クロマキーバックとなる青色の光を表示するものとする。
【００３８】
このとき、撮影カメラ２は、撮影期間のみ撮影を行うため、図３に示すように、時分割表示装置１の画面にクロマキーバックとなる青色（ブルーバック）の映像ＳＢを含んだ映像ＣＡが撮影される。この撮影カメラ２で撮影された映像ＣＡには、映像ＳＢ部分が青色で撮影されているので、例えば、図４に示すように、青色の領域に対してＣＧ（Ｃｏｍｐｕｔｅｒ  Ｇｒａｐｈｉｃｓ）等により他の映像を合成することで、番組用の映像ＣＢを作成することができる。
【００３９】
なお、ここでは、時分割表示装置１が、撮影カメラ２に撮影される映像（カメラ用映像）と、撮影カメラ２には撮影されない映像（非カメラ用映像）として、ブルーバックの色光とを表示することとしているが、色光を用いずに、撮影された映像やＣＧ映像といった映像を表示することとしてもよい。
【００４０】
［時分割表示装置の構成］
次に、図５を参照して、本発明に係る時分割表示装置の構成について説明する。図５は、時分割表示装置の構成の一例を示す概略図である。
この時分割表示装置１は、筐体１０内に、２台の映像投射装置２０（２０ａ，２０ｂ）と、シャッタユニット３０と、載置台４０と、反射部５０と、透過型スクリーン６０とを備えている。
【００４１】
映像投射装置（投射手段）２０は、投射光（映像）を投射するものであって、例えば、一般的なプロジェクタである。ここでは、１台の映像投射装置（第１投射手段）２０ａは載置台４０上に水平方向に横向きで設置され、他の１台の映像投射装置（第２投射手段）４０ｂは筐体１０底部に垂直方向に縦向きで設置されている。すなわち、映像投射装置２０ａ，２０ｂは、それぞれの光軸が直交するように設置されている。
また、ここでは、映像投射装置２０ａから投射される投射光は、撮影カメラ２の非撮影期間に投射される映像（非カメラ用映像）であって、映像投射装置２０ｂから投射される投射光は、撮影カメラ２の撮影期間に投射される映像（カメラ用映像）であるとする。
【００４２】
シャッタユニット（投射光時分割装置）３０は、外部から入力される基準同期信号に同期して、表示する投射光を、映像投射装置２０ａ，２０ｂのいずれか一方からの投射光に切り換えるものである。ここでは、シャッタユニット３０は、反射領域と通過領域を有する回転シャッタ（回転部材）３１を回転駆動することで、映像投射装置２０ａから投射される投射光を反射部５０に反射する際には、映像投射装置２０ｂから投射される投射光を遮断し、映像投射装置２０ｂから投射される投射光を反射部５０に投射する際には、映像投射装置２０ａから投射される投射光を通過させることで、映像投射装置２０ａ，２０ｂのいずれか一方からの投射光を、反射部５０に投射する。
【００４３】
すなわち、シャッタユニット３０は、基準同期信号に基づいて、撮影カメラ２の非撮影期間に、映像投射装置２０ａから投射される投射光を反射部５０に反射させ、撮影カメラ２の撮影期間に、映像投射装置２０ｂから投射される投射光を反射部５０に投射する。
このように、映像投射装置２０ａ，２０ｂから投射される投射光は、シャッタユニット３０において、交互に反射あるいは通過する。これによって、時分割表示装置１は、光量の減衰がなく、光利用率を高めることができる。
なお、このシャッタユニット３０の詳細な構成については後記する。
【００４４】
載置台４０は、映像投射装置２０ａを載置するものである。また、ここでは、載置台４０には、シャッタユニット３０が取り付けられている。なお、シャッタユニット３０は、回転駆動される回転シャッタ３１が回転する回転面に対して、映像投射装置２０ａ，２０ｂのそれぞれの光軸の入射角が４５°となるように、載置台４０に取り付けられている。
これによって、映像投射装置２０ａから投射され回転シャッタ３１で反射された投射光の光軸と、映像投射装置２０ｂから投射され回転シャッタ３１を通過する投射光の光軸とが一致することになる。
【００４５】
反射部５０は、鏡面部材で構成され、映像投射装置２０ａ，２０ｂから投射された投射光を、透過型スクリーン６０に反射させるものである。この反射部５０を備えることで、時分割表示装置１の奥行き方向の長さを抑えることができる。
【００４６】
透過型スクリーン６０は、反射部５０から投射された投射光を、前面の表示面に透過して表示する背面投射方式の表示装置である。なお、この透過型スクリーン６０は、レンチキュラーレンズシート、フレネルレンズシート等を用いて、投射光を拡散させることで、視野角を広くしている。
このように構成することで、時分割表示装置１は、基準同期信号に基づいて、映像投射装置２０ａ，２０ｂの投射光を時分割して表示することができる。
以下、シャッタユニット３０について、さらに詳細に説明を行う。
【００４７】
（シャッタユニットの構成）
ここでは、図６を参照（適宜図５参照）して、本発明に係るシャッタユニット（投射光時分割装置）の構成について説明する。図６は、シャッタユニット（投射光時分割装置）の構成を示す概略構成図である。
このシャッタユニット３０は、回転シャッタ３１と、駆動手段３２と、位相検出手段３３と、速度検出手段３４と、駆動制御手段３５とを備えている。
【００４８】
回転シャッタ（回転部材）３１は、投射光を反射させる鏡面部からなる反射領域と投射光を通過させる通過領域とを隣接して有する回転部材であって、駆動手段３２によって回転駆動されることで、表示する投射光を、映像投射装置２０ａ，２０ｂのいずれか一方からの投射光に切り換えるものである。
【００４９】
ここで、図７を参照（適宜図５および図６参照）して、回転シャッタ３１の構造について説明する。図７は、回転シャッタ（回転部材）の構造を示す外観図であって、（ａ）は斜視図、（ｂ）は上面図を示している。また、（ｃ）は回転シャッタにおける投射光の反射および通過の状態を示している。図７に示すように、回転シャッタ３１は、通過領域Ｑと反射領域Ｒとからなる円盤状の部材である。例えば、回転シャッタ３１は、透明なアクリルのディスクに、所定の中心角θ（詳細は後記する）を有する扇型形状の鏡面板が貼り付けられている。あるいは、回転シャッタ３１は、扇型形状の透明なアクリル部材と、扇型形状の鏡面部材とを接合したものでもよい。なお、回転シャッタ３１は、回転時のムラを抑えるため、回転軸Ｐを中心に反射領域Ｒが対称となるように形成されていることが望ましい。また、反射領域Ｒの鏡面の裏側は、投射光を反射させないように黒い材質であることが望ましい。
【００５０】
この回転シャッタ３１を、回転軸Ｐを中心に回転させることで、図７（ｃ）の（ｃ−１）に示すように、映像投射装置２０ａから投射された投射光が回転シャッタ３１の反射領域Ｒの鏡面によって反射部５０に反射されるときは、映像投射装置２０ｂから投射された投射光は、反射領域Ｒの裏側に投射され、投射光が遮断されることになる。このとき、反射領域Ｒの裏側は黒色であることから、投射光は反射されず、映像投射装置２０ｂから投射される投射光に影響を及ぼさない。
【００５１】
一方、映像投射装置２０ｂから投射された投射光が回転シャッタ３１の通過領域Ｑを通過して反射部５０に投射されるときは、図７（ｃ）の（ｃ−２）に示すように、映像投射装置２０ａから投射された投射光は、回転シャッタ３１の通過領域Ｑを通過して、反射部５０には反射されない。
【００５２】
なお、回転シャッタ３１は、回転によって、投射光を反射、通過させる構造であれば、図７の構造に限定されるものではない。
例えば、図８（ａ）に示すように、鏡面部材のみからなる構造としてもよい。また、図７では、回転軸Ｐを中心に反射領域Ｒを対称に形成しているが、回転シャッタ３１を回転させる駆動手段３２のトルク、パワー、あるいは反射領域Ｒの鏡面部材の強度等によって、図８（ｂ）や図８（ｃ）に示すように非対称としてもよい。
【００５３】
次に、図９および図１０を参照して、回転シャッタ３１の反射領域の中心角について説明する。図９は、撮影カメラの電子シャッタの開閉時間と、回転シャッタの回転角度との関係を説明するための説明図であって、（ａ）は撮影カメラの１フィールドの時間と電子シャッタの開閉のタイミングを示すグラフ図、（ｂ）は回転シャッタの開角度を電子シャッタの開閉タイミングに比例したときの回転角度と投射光を通過する比率（通過率）との関係を示すグラフ、（ｃ）は回転シャッタの開角度を理想的な値としたときの回転角度と投射光を通過する比率（通過率）との関係を示すグラフである。図１０は、回転シャッタと回転シャッタを通過する光束との関係を説明するための説明図である。なお、ここでは、回転シャッタ３１は、図７で示したように、回転軸Ｐを中心に反射領域Ｒを対称に形成していることから、回転シャッタ３１が１回転する間に、電子シャッタが２回開閉することとして、以下説明を行う。
【００５４】
この回転シャッタ３１の反射領域の中心角は、撮影カメラ２の電子シャッタ（図示せず）が開いている時間（撮影期間）には、非カメラ用映像（ここでは、映像投射装置２０ａからの投射光）を投射しないという条件から決定されるものである。
【００５５】
ここで、例えば、撮影カメラ２のフィールド周波数（垂直同期周波数）が６０ヘルツ（Ｈｚ）、電子シャッタが開いている時間が１／１００秒の場合、１フィールドの周期はその時間の１／６０、すなわち、約１６．７ミリ秒（ｍｓ）となる。このとき、電子シャッタが開いている時間は１／１００秒（１０ｍｓ）であるため、電子シャッタが閉じている時間は、６．７ｍｓ（＝１６．７−１０）となる。すなわち、図９（ａ）に示すように、０ｍｓから６．７ｍｓまでの期間は、電子シャッタが閉じ（ｏｆｆ）、６．７ｍｓから１６．７ｍｓまでの期間は、電子シャッタを開いた（ｏｎ）状態となる。
【００５６】
この電子シャッタが閉じた期間に、映像投射装置２０ａから投射される投射光を回転シャッタ３１で反射させようとすると、回転シャッタ３１の回転角度θに対する反射領域の中心角θＰの比と、１フィールドの周期Ｔに対する電子シャッタが閉じている時間ｔｏｆｆの比とを等しくする必要がある。すなわち、以下の（１）式に示すような関係を満たす必要がある。
【００５７】
【数１】
2007316127.tif 000003
【００５８】
ここで、回転シャッタ３１の回転角度θは１８０°（＝３６０°／２）、１フィールドの周期Ｔは１６．７ｍｓ、電子シャッタが閉じている時間ｔｏｆｆは６．７ｍｓであることから、反射領域の中心角θＰは約７２°となる。
しかし、この中心角θＰは、回転シャッタ３１において反射する投射光が、点光源から投射された投射光である場合を示している。実際には、回転シャッタ３１において反射する投射光は、ある大きさの領域を有する光束である。
この中心角θＰのシャッタを用いた場合には、回転シャッタ３１において反射する投射光は、ある大きさの領域を有する光束であるため、図９（ｂ）に示すように撮影カメラ２の電子シャッタが閉じている期間をはみ出してしまう。すなわち、本来であれば、撮影カメラ２に撮影されないはずの映像投射装置２０ａから投射される投射光が、撮影カメラ２に撮影されてしまうことになる。
【００５９】
そこで、以下、図１０を参照して、回転シャッタ３１において反射する投射光が、ある大きさの領域を有する光束であることを考慮した反射領域の中心角について説明する。
図１０に示すように、投射光がある大きさの領域Ｂを有する光束である場合、光速の領域Ｂが、前記（１）式により求めた中心角θＰ内の領域からちょうど半分だけはみ出してしまい、この半分はみ出した分だけ狭くして非カメラ用映像（映像投射装置２０ａからの投射光）を投射しなければ、撮影カメラ２の撮影期間に非カメラ用映像が投射されることになる。
【００６０】
そこで、回転シャッタ３１の回転時に通過領域から反射領域に切り替わるタイミングにおいては、前記（１）式で求めた中心角θＰから、光速の領域Ｂの半分の角度分遅らせて反射領域に切り換える必要がある。
【００６１】
ここで、回転シャッタ３１の直径をｄ、光束の領域Ｂの縦、横の大きさをそれぞれｘ、ｙとすると、回転シャッタ３１が光速の領域Ｂの半分の領域を通過するための角度（立ち上がり角度θＵ）、以下の（２）式で求めることができる。
【００６２】
【数２】
2007316127.tif 000004
【００６３】
また、回転シャッタ３１の回転時に反射領域から通過領域に切り替わるタイミングにおいては、前記（１）式で求めた中心角θＰよりも、光速の領域Ｂの半分の角度分早めに切り換える必要がある。この反射領域から通過領域に切り替わるタイミングにおける光速の領域Ｂの半分の領域を通過するための角度（立ち下がり角度θＤ）も、前記（２）式と同様（θＵ＝θＤ）に求めることができる。
【００６４】
このように、回転シャッタ３１の反射領域は、前記（１）式で求めた中心角θＰにおいて、前記（２）式で求めた立ち上がり角度θＵと立ち下がり角度θＤとを差し引く必要がある。
すなわち、光束の領域Ｂを考慮した回転シャッタ３１の反射領域の中心角θＢは、以下の（３）式で求められる。
【００６５】
【数３】
2007316127.tif 000005
【００６６】
例えば、回転シャッタ３１の直径を３００ｍｍ、光束の領域Ｂの縦ｘを６０ｍｍ、横ｙを４５ｍｍとすれば、前記（２）式より、立ち上がり角度θＵは約１４．５°となる。また、同様に立ち下がり角度θＤも約１４．５°となる。従って、前記（３）式により、回転シャッタ３１の反射領域の中心角θＢは約４３°となる。ただし、実際には、回転シャッタ３１の回転ムラ（ジッター）や温度変化等に起因する位相変動（ドリフト）等を考慮し、１〜２°程度中心角θＢを狭くしておくことが望ましい。
図６に戻って、シャッタユニット３０の構成について説明を続ける。
【００６７】
駆動手段３２は、回転シャッタ３１を、回転軸Ｐを中心として回転駆動させるものであって、一般的なモータ（例えば、ＤＣモータ）である。この駆動手段３２は、駆動制御手段３５から出力される駆動信号（駆動電圧）に基づいて、回転シャッタ３１の回転速度が調整される。
【００６８】
位相検出手段３３は、回転シャッタ３１が回転する際の反射領域と通過領域との時間周期を示す位相を検出するものである。この位相検出手段３３は、検出した位相をパルス信号として駆動制御手段３５に出力する。
【００６９】
なお、この位相検出手段３３には、例えば、発光素子と受光素子とからなる光センサを用いることができる。そして、位相検出手段３３は、発光素子から発光された光が回転シャッタ３１で反射し、受光素子で受光した光のパルス信号を、位相検出信号として駆動制御手段３５に出力する。なお、位相検出手段３３は、発光素子と受光素子とを、回転シャッタ３１を挟んで配置した透過型の光センサにより構成することとしてもよい。
【００７０】
速度検出手段３４は、駆動手段３２の回転速度を検出するものである。この速度検出手段３４は、検出した回転速度に比例したパルス信号を駆動制御手段３５に出力する。
なお、この速度検出手段３４は、例えば、回転軸Ｐに反射マークを付加し、その反射によって回転速度を検出する光学式の速度検出装置や、駆動手段３２側の回転軸のギアに連結されたギア（図示せず）の回転数に基づいて回転速度を検出する速度検出装置等、一般的な速度検出装置を用いることができる。
【００７１】
駆動制御手段３５は、外部から入力される基準同期信号と回転シャッタ３１の位相とが同期するように駆動手段３２を制御するものである。
【００７２】
ここで、図１１を参照（適宜図６参照）して、駆動制御手段３５の内部構成について説明する。図１１は、シャッタユニットの駆動制御手段の内部構成を示すブロック構成図である。なお、駆動制御手段３５内部において生成される信号については、適宜図１２を参照することとする。図１２は駆動制御手段内部の信号のタイミングを示すタイムチャートである。
この駆動制御手段３５は、同期分離回路３５１と、垂直同期分離回路３５２と、位相調整器３５３と、位相検波器３５４と、速度検波器３５５と、低域通過フィルタ３５６（３５６ａ，３５６ｂ）と、差動増幅器３５７と、駆動回路３５８とを備えている。
【００７３】
同期分離回路３５１は、入力された基準同期信号（カメラ映像信号）から、同期の基準となる垂直同期信号と水平同期信号とからなる複合同期信号を分離するものである。ここで分離された複合同期信号は、垂直同期分離回路３５２に出力される。なお、垂直同期信号とは、映像を表示する際の１画面の開始を示す信号である。
【００７４】
垂直同期分離回路３５２は、同期分離回路３５１で基準同期信号から分離された複合同期信号から、垂直同期信号（図１２（ａ））を分離するものである。ここで分離された垂直同期信号は、位相調整器３５３に出力される。
【００７５】
位相調整器３５３は、垂直同期分離回路３５２で分離された垂直同期信号を遅延させることで、撮影カメラ２の電子シャッタ（図示せず）が閉じている位相に合わせたパルス信号（位相調整パルス信号（図１２（ｂ）））を生成するものである。なお、ここでは、位相調整パルス信号（図１２（ｂ））の立ち上がりが、回転シャッタ３１の位相（位相パルス信号（図１２（ｃ））の中間となるように遅延させる。この位相調整器３５３で生成された位相調整パルス信号は、位相検波器３５４に出力される。
【００７６】
位相検波器３５４は、位相調整器３５３で生成された撮影カメラ２の電子シャッタの位相と、位相検出手段３３で検出された回転シャッタ３１の位相との位相差を電位差で示した位相差電圧信号を生成するものである。
【００７７】
ここでは、位相検波器３５４は、位相検出手段３３で検出された回転シャッタ３１の位相（位相パルス信号（図１２（ｃ）））から「のこぎり波」となる位相検波信号（図１２（ｄ））を生成し、位相調整パルス信号（図１２（ｂ））の立ち上がりのタイミングで電位差をホールドし出力する。これによって、位相検波信号（図１２（ｄ））の「のこぎり波」のずれによって、電位差を検出し、位相が早い場合には電位差が小さく、位相が遅い場合には電位差が大きくなる位相差電圧信号（図１２（ｅ））が生成される。
この位相検波器３５４で生成された位相差電圧信号は、低域通過フィルタ３５６ａに出力される。
【００７８】
速度検波器３５５は、速度検出手段３４で検出された駆動手段３２の回転速度に比例した電位を示す速度電圧信号を生成するものである。この速度検波器３５５で生成された速度電圧信号は、低域通過フィルタ３５６ｂに出力される。
【００７９】
低域通過フィルタ３５６（３５６ａ，３５６ｂ）は、予め定めた周波数以下の信号のみを通過させるものである。この低域通過フィルタ３５６を備えることで、後記する駆動回路３５８からの出力により形成される駆動手段３２に対するフィードバック系において、ハンチング等の過応答を防止することが可能になる。
【００８０】
ここで、低域通過フィルタ３５６ａは、位相検波器３５４から出力される位相差電圧信号に対して、予め定めた周波数以下の信号を通過させ、差動増幅器３５７に出力する。また、低域通過フィルタ３５６ｂは、速度検波器３５５から出力される速度電圧信号に対して、予め定めた周波数以下の信号を通過させ、差動増幅器３５７に出力する。
【００８１】
差動増幅器３５７は、低域通過フィルタ３５６ａ，３５６ｂを通過した位相差電圧信号と速度電圧信号との差の電圧を増幅することで、駆動手段３２を駆動させる電圧を示す駆動電圧信号を生成するものである。この差動増幅器３５７で生成された駆動電圧信号は、駆動回路３５８に出力される。
【００８２】
駆動回路３５８は、差動増幅器３５７で生成された駆動電圧信号に基づいて、駆動手段３２を駆動させるものであって、一般的なモータドライバである。
以上、シャッタユニット３０の構成ついて説明したが、本発明は、この構成に限定されるものではない。例えば、回転シャッタ３１の位相のみによって、駆動手段３２を駆動させることとしてもよい。この場合、速度検出手段３４を構成から省略するとともに、駆動制御手段３５内の速度検波器３５５、低域通過フィルタ３５６ｂおよび差動増幅器３５７を構成から省略することができる。しかし、回転シャッタ３１を一定速度で、安定して回転させるためには、シャッタユニット３０に、これらの構成を備えた方が望ましい。
【００８３】
以上説明したように時分割表示装置１を構成することで、時分割表示装置１は、人には視認され、撮影カメラ２には映らない映像を間欠光として表示することができる。さらに、時分割表示装置１は、設置スペースを小さくし、映像投射装置の光軸を一致させるとともに、光利用率を高めることができる。さらに、時分割表示装置１は、回転シャッタ３１を回転させるだけのシンプルな構成であり、２台の映像投射装置２０を同一のものとすることができるため、従来に比べて安価に構成することができる。
【００８４】
なお、本発明は前記した構成に限定されるものではない。ここでは、２台の映像投射装置２０からの投射光を反射部５０で反射させて透過型スクリーン６０に表示するリアプロジェクションとして時分割表示装置１を実現したが、前面からスクリーンに投射するフロントプロジェクションとして実現してもよい。また、ここでは、時分割表示装置１を、撮影カメラ２の基準同期信号に基づいて、撮影カメラ２で撮影される映像と撮影されない映像とを交互に表示することとしたが、回転シャッタ３１の反射領域と通過領域とを同じ比率（５０：５０）にし、一方の映像を左眼用の映像、他方の右眼用の映像とすることで、立体映像を表示する装置として実現してもよい。
また、ここでは、２台の映像投射装置２０ａ，２０ｂを、それぞれの光軸が直交するように設置したが、回転シャッタ３１で反射する反射光と、回転シャッタ３１を通過する通過光とのそれぞれの光軸が揃えば特に直交して配置する必要はない。
また、ここでは、シャッタユニット３０の回転シャッタ３１を円盤形状（あるいは扇型形状）の回転部材としたが、回転駆動されることで、いずれか一方の投射光を投射するものであれば、その形状、構成は限定されるものではない。
【００８５】
以下、図１３を参照して、シャッタユニット３０の第１の変形例について説明する。図１３は、シャッタユニットの第１の変形例を示す模式図であって、（ａ）は回転シャッタの斜視図、（ｂ）はシャッタユニットの上面図を示している。なお、図１３においては、回転シャッタ３１Ｂを駆動させる駆動手段等については図示を省略している。
【００８６】
図１３に示すように、シャッタユニット３０Ｂは、投射光を通過させる通過領域Ｑと、通過領域Ｑに隣接し投射光を通過させない非通過領域Ｕとからなる円筒形状の回転シャッタ３１Ｂを備えている。また、図１３（ａ）に示すように、回転シャッタ３１Ｂは、円筒部材に投射光を通過するための通過領域Ｑである窓を設けている。
【００８７】
そして、図１３（ｂ）に示すように、投射光の光軸が直交するように映像投射装置２０ａ，２０ｂを配置し、回転シャッタ３１Ｂをその交点に配置し回転させる。これによって、（ｂ−１）に示すように、映像投射装置２０ａが投射した投射光が回転シャッタ３１Ｂの通過領域Ｑを通過する場合、映像投射装置２０ｂが投射した投射光が遮断される。また、（ｂ−２）に示すように、映像投射装置２０ｂが投射した投射光が回転シャッタ３１Ｂの通過領域Ｑを通過する場合、映像投射装置２０ａが投射した投射光が遮断される。このとき、映像投射装置２０ｂが投射した投射光は、ミラー２１で映像投射装置２０ａが投射する投射光と同一の方向に反射させる。
このように、シャッタユニット３０Ｂは、回転シャッタ３１Ｂの回転により、映像投射装置２０ａ，２０ｂのいずれか一方のみの投射光を投射することができる。
【００８８】
さらに、撮影カメラ２の非撮影期間に２台の映像投射装置２０ａ，２０ｂのいずれか一方の投射光のみを遮断する図１４に示す構成としてもよい。図１４は、シャッタユニットの第２の変形例を示す模式図であって、（ａ）は側面図、（ｂ）は正面図を示している。なお、図１４においては、回転シャッタ３１Ｃを駆動させる駆動手段等については図示を省略している。また、図１４では、映像投射装置２０ａ，２０ｂの光軸がずれることになるが、映像投射装置２０ａ，２０ｂは、反射部５０（図５）に到達した投射光によって表示される表示画面において光軸同士が近くなるように配置されている。つまり、映像投射装置２０ａ，２０ｂは、映像を表示する際に問題とならない程度の同軸性となるように配置されている。
【００８９】
図１４に示すように、シャッタユニット３０Ｃは、投射光を通過させる通過領域Ｑと、通過領域Ｑに隣接し投射光を通過させない非通過領域Ｕとからなる円盤形状の回転シャッタ３１Ｃを備えている。このシャッタユニット３０Ｃは、同一方向に投射方向を向けられた映像投射装置２０ａ，２０ｂの前面に回転シャッタ３１Ｃを備え、回転シャッタ３１Ｃを回転駆動させる。
ここで、非通過領域Ｕは、撮影カメラの撮影期間において、映像投射装置２０ａまたは映像投射装置２０ｂのいずれか一方の投射光を遮断するものである。
これによって、シャッタユニット３０Ｃは、回転シャッタ３１Ｃの回転により、撮影カメラの撮影期間において、映像投射装置２０ａ，２０ｂのいずれか一方のみの投射光を投射することができる。
【００９０】
［時分割表示装置（シャッタユニット）の動作］
次に、図１５を参照（適宜図１１および図１２参照）して、本発明に係る時分割表示装置１の動作について説明する。ただし、ここでは、時分割表示装置１の動作の基本となるシャッタユニット３０の動作についてのみ説明を行うこととする。また、ここでは、説明を簡略化するため、速度検出手段３４を使用しないこととする。図１５は、シャッタユニットの動作を示すフローチャートである。
【００９１】
シャッタユニット３０は、同期分離回路３５１によって、基準同期信号（カメラ映像信号）から、同期の基準となる垂直同期信号と水平同期信号とからなる複合同期信号を分離し、垂直同期分離回路３５２によって、複合同期信号から、撮影カメラ２の垂直同期信号（図１２（ａ））を分離する（ステップＳ１）。
【００９２】
そして、シャッタユニット３０は、位相調整器３５３によって、垂直同期信号の立ち上がりを遅延させることで、撮影カメラ２の電子シャッタ（図示せず）が閉じている位相に合わせた位相調整パルス信号（図１２（ｂ））を生成する（ステップＳ２）。
【００９３】
一方、シャッタユニット３０は、位相検出手段３３によって、回転シャッタ３１の位相を検出し、その検出した位相を位相パルス信号（図１２（ｃ））とする（ステップＳ３）。
【００９４】
そして、シャッタユニット３０は、位相検波器３５４によって、ステップＳ３で生成された位相パルス信号から「のこぎり波」となる位相検波信号（図１２（ｄ））を生成し（ステップＳ４）、ステップＳ２で生成された位相調整パルス信号の立ち上がりのタイミングで電位差をホールドし、位相差電圧信号（図１２（ｅ））を生成する（ステップＳ５）。
なお、シャッタユニット３０は、低域通過フィルタ３５６ａによって、位相差電圧信号の予め定めた周波数以下の信号を通過させることで、過応答を防止する。
【００９５】
そして、シャッタユニット３０は、駆動回路３５８によって、ステップＳ５で生成された位相差電圧信号に基づいて、駆動手段３２を駆動させる駆動電圧信号を生成し、回転シャッタ３１の速度を調整する（ステップＳ６）。これによって、回転シャッタ３１の反射領域および通過領域が、基準同期信号に同期することになる。
そして、シャッタユニット３０は、ステップＳ１に戻って動作を継続する。
【００９６】
なお、シャッタユニット３０において、速度検出手段３４を使用する場合は、ステップＳ３と並列して、速度検出手段３４によって、駆動手段３２の回転速度を速度電圧信号として生成する。そして、差動増幅器３５７によって、この速度電圧信号とステップＳ５で生成された位相差電圧信号との差の電圧を増幅することで、駆動手段３２を駆動させる電圧を示す駆動電圧信号を生成する。
【００９７】
以上の動作によって、シャッタユニット３０は、回転シャッタ３１の反射領域および通過領域の位相をフィードバック系によって逐次調整することで、回転シャッタ３１を安定して回転駆動させることができる。
これによって、時分割表示装置１は、撮影カメラ２の撮影期間と非撮影期間とに同期して、映像投射装置２０ａまたは映像投射装置２０ｂのいずれか一方の投射光を表示することができる。
【図面の簡単な説明】
【００９８】
【図１】本発明に係る映像撮影システムの全体構成を示す模式図である。
【図２】本発明に係る時分割表示装置が表示した映像の一例を示す図であって、（ａ）は撮影カメラの非撮影期間に表示される映像、（ｂ）は撮影カメラの撮影期間に表示される映像である。
【図３】撮影カメラが撮影した映像の一例を示す図である。
【図４】撮影カメラが撮影した映像から生成した、番組用の映像を示す図である。
【図５】本発明に係る時分割表示装置の構成の一例を示す概略図である。
【図６】本発明に係るシャッタユニット（投射光時分割装置）の構成を示す概略構成図である。
【図７】回転シャッタ（回転部材）の構造を示す外観図であって、（ａ）は斜視図、（ｂ）は上面図を示している。
【図８】回転シャッタ（回転部材）の他の構造を示す外観図である。
【図９】撮影カメラの電子シャッタの開閉時間と、回転シャッタの回転角度との関係を説明するための説明図である。
【図１０】回転シャッタと回転シャッタを通過する光束との関係を説明するための説明図である。
【図１１】シャッタユニットの駆動制御手段の内部構成を示すブロック構成図である。
【図１２】駆動制御手段内部の信号のタイミングを示すタイムチャートである。
【図１３】シャッタユニットの第１の変形例を示す模式図ある。
【図１４】シャッタユニットの第２の変形例を示す模式図ある。
【図１５】本発明に係るシャッタユニットの動作を示すフローチャートである。
【図１６】従来の間欠光による情報提示技術を説明するためのテレビスタジオの模式図である。
【図１７】電子シャッタと液晶シャッタとの各信号の関係を示すタイムチャートである。
【符号の説明】
【００９９】
Ｓ      映像撮影システム
１      時分割表示装置
２      撮影カメラ
２０ａ  映像投射装置（第１投射手段）
２０ｂ  映像投射装置（第２投射手段）
３０    シャッタユニット（投射光時分割装置）
３１    回転シャッタ（回転部材）
３２    駆動手段
３３    位相検出手段
３４    速度検出手段
３５    駆動制御手段
【図１】
2007316127.tif 000006
【図２】
2007316127.tif 000007
【図３】
2007316127.tif 000008
【図４】
2007316127.tif 000009
【図５】
2007316127.tif 000010
【図６】
2007316127.tif 000011
【図７】
2007316127.tif 000012
【図８】
2007316127.tif 000013
【図９】
2007316127.tif 000014
【図１０】
2007316127.tif 000015
【図１１】
2007316127.tif 000016
【図１２】
2007316127.tif 000017
【図１３】
2007316127.tif 000018
【図１４】
2007316127.tif 000019
【図１５】
2007316127.tif 000020
【図１６】
2007316127.tif 000021
【図１７】
2007316127.tif 000022